(57)【要約】【課題】見た目は通常のパンツと変わらず、ヒップアップ効果と腹部締め付け効果があり、着用快適性に優れたパンツを提供すること。【解決手段】開き部を有しないパンツの内側に、後身頃のヒップ部から脇線を通り前身頃の一部を被う裏地と内股から前ウエストにかけて帯状の腹部押さえ布をウエストベルトと股下に縫着して表地と一体化させる。【選択図】図２
2008106373.tif 000002
【特許請求の範囲】
【請求項１】
身頃の表地の内側に、後身頃のヒップ部から脇線を通り前身頃の一部を被う裏地と内股部から前身頃ウエスト部にかけて帯状の腹部押さえ布を付設したパンツであって、該裏地および腹部押さえ布が少なくともウエストラインと内股部で身頃表地に接合されていることを特徴とするパンツ。
【請求項２】
前記腹部押さえ布の幅が、内股部で８〜１５ｃｍ、前ウエストラインで１２〜２５ｃｍとなるよう漸増させたことを特徴とする請求項１に記載のパンツ。
【請求項３】
前記腹部押さえ布の一部に腹部補強布を付設したことを特徴とする請求項１または２のいずれかに記載のパンツ。
【請求項４】
前記裏地には、後身頃のヒップライン下から前身頃に向かい斜め上方に傾斜した帯状のヒップアップ別布を付設したことを特徴とする請求項１〜３のいずれかに記載のパンツ。
【請求項５】
前記表地または／および前記腹部押さえ布、腹部補強布、および裏地、ヒップアップ別布がタテまたは／およびヨコ方向に伸縮可能な織編物であることを特徴とする請求項１〜４のいずれかに記載のパンツ。
【請求項６】
前記腹部押さえ布、腹部補強布、裏地およびヒップアップ別布の伸長率が３０〜２００％、伸長回復率が８０〜１００％の範囲であり、これらの伸長率および伸長回復率のそれぞれがほぼ同等であることを特徴とする請求項１〜５のいずれかに記載のパンツ。
【請求項７】
前記腹部押さえ布および裏地に、破裂強力が２００〜２６０ｋＰａのサテンネット、前記腹部補強布およびヒップアップ別布に、破裂強力が２６１〜３２０ｋＰａのパワーネットを使用したことを特徴とする請求項１〜６のいずれかに記載のパンツ。
【発明の詳細な説明】
【技術分野】
【０００１】
本発明はヒップアップ効果のあるパンツに関する。
【背景技術】
【０００２】
従来、伸縮性の高いパンツをはくと履き心地は楽で良いが、シルエットがあまりきれいではなかった。特に腹部や尻部を押さえないため、体型が表に出て美観を損なうことも多かった。また、パンツの下にガードルなどの補正下着を着けることにより、体型を整えることは可能であったが、それらは締め付け感が強く着用快適性に劣るものであった。これらの問題を解決するため、昨今、パンツやスカートの裏に伸縮性裏地を縫い付け、体型補整を狙ったものが多く出てきた。
【０００３】
一方、従来の技術として、後身頃の裏にパワーネット生地を縫い付けたズボン（特許文献１参照）、パワーネットでできた裏地を表身頃の裏側全周に縫い付けたスパッツやスカート（特許文献２、３参照）、前後身頃裏に股布を吊り下げたパンツやスカート（特許文献４参照）、等が提案されている。
【特許文献１】実用新案登録第３０９８７０２号公報
【特許文献２】特開平９−１３２０６号公報
【特許文献３】実用新案登録第３００８６１６号公報
【特許文献４】特開平８−２９６１０３号公報
【発明の開示】
【発明が解決しようとする課題】
【０００４】
しかしながら、特許文献１の後身頃の裏にパワーネット生地を縫い付けたズボンは、裏地と表地とがほぼ同じ寸法であるため、ヒップを持ち上げる効果は小さかった。
【０００５】
一方、特許文献２、３のパワーネットでできた裏地を表身頃の裏側全周に縫い付けたスパッツやスカートは、締め付けの強い補正下着をつけているのと同じ効果は得られるものの、着用中の快適性や着脱のしやすさなどに劣るものであった。また、特許文献４は腹部矯正裏布に前後方向に股布を固着させ、両股布を股部で着脱自在に止着させたものであるため、股部での止着がしにくく、違和感のあるものであった。
【０００６】
また、市場で販売されている補整布付きパンツのうち、後身頃のみ、前身頃のみに裏地を脇で縫着しているものを着用したところ、縫着している箇所が引きつれて、美観を損なうという欠点があったし、前後全周裏地を縫着しているものは、ガードルをはいているのと変わらず窮屈で着脱しにくいものであった。
【０００７】
そこで、本発明の目的はかかる従来技術の欠点を改良し、見た目も通常のパンツと変わらず、ヒップアップ効果があり、着用快適性に優れたパンツを提供することにある。
【課題を解決するための手段】
【０００８】
上記目的を達成するため、本発明のパンツは以下の構成からなる。
【０００９】
（１）身頃の表地の内側に、後身頃のヒップ部から脇線を通り前身頃の一部を被う裏地と内股部から前身頃ウエスト部にかけて帯状の腹部押さえ布を付設したパンツであって、該裏地および腹部押さえ布が少なくともウエストラインと内股部で身頃表地に接合されていることを特徴とするパンツ。
【００１０】
（２）前記腹部押さえ布の幅が、内股部で８〜１５ｃｍ、前ウエスト部で１２〜２５ｃｍとなるよう漸増させたことを特徴とする前記（１）に記載のパンツ。
【００１１】
（３）前記腹部押さえ布の一部に腹部補強布を付設したことを特徴とする前記（１）または（２）のいずれかに記載のパンツ。
【００１２】
（４）前記裏地には、後身頃のヒップライン下から前身頃に向かい斜め上方に傾斜した帯状のヒップアップ別布を付設したことを特徴とする前記（１）〜（３）のいずれかに記載のパンツ。
【００１３】
（５）前記表地または／および前記腹部押さえ布、腹部補強布、および裏地、ヒップアップ別布がタテまたは／およびヨコ方向に伸縮可能な織編物であることを特徴とする前記（１）〜（４）のいずれかに記載のパンツ。
【００１４】
（６）前記腹部押さえ布、腹部補強布、および裏地、ヒップアップ別布の伸長率が３０〜２００％、伸長回復率が８０〜１００％の範囲であり、これらの伸長率および伸長回復率のそれぞれがほぼ同等であることを特徴とする前記（１）〜（５）のいずれかに記載のパンツ。
【００１５】
（７）前記腹部押さえ布および裏地に、破裂強力が２００〜２６０ｋＰａのサテンネット、前記腹部補強布およびヒップアップ別布に、破裂強力が２６１〜３２０ｋＰａのパワーネットを使用したことを特徴とする前記（１）〜（６）のいずれかに記載のパンツ。
【発明の効果】
【００１６】
本発明により、見た目も通常のパンツと変わらず、ヒップアップ効果があり、さらに脇腹と腹部もシェイプすることのできる着用快適性に優れたパンツを得ることができる。特に淡色、もしくは白色のパンツを着用する時、下着のラインが表に映らず、透け防止の効果もある。
【発明を実施するための最良の形態】
【００１７】
以下、図面に示す一形態を参照しつつ、本発明のパンツを詳細に説明する。
【００１８】
図１は、本発明のパンツの一態様を正面表からみた図であり、図２、図３は、本発明のパンツの一態様を裏返して裏面からみた前身頃と後身頃の図である。図４は本発明のパンツで使用する裏地と腹部押さえ布をパンツに縫着する前の図である。
【００１９】
本発明のパンツは、図１に示すようなファスナーやボタンなどで開き部を有しないパンツ、例えばジャージやトレーニングパンツ、パジャマズボン、スパッツなどのようなウエスト部分に全周あるいは部分的にゴムを挿入したパンツの裏に、図２、図３に示すように裏地３および腹部押さえ布１０を付設したパンツである。図４に示すように裏地３と腹部押さえ布１０を表地に内股部６と前ウエストライン５や後ウエストライン１２で接合することができる。
【００２０】
さらに詳細に述べると、裏地３は、後身頃２のヒップ部から脇線４を通り前身頃１の一部を被うように後身頃から前身頃にかけて連続した形状とし、前ウエストライン５、後ウエストライン１２と内股６で表地と接合する。後身頃から前身頃に連続した形状で設置することにより、臀部を臀溝から上方およびななめ前方に向かって持ち上げることができ、さらに、脇の贅肉も一部引き上げ、サイドラインの締め付け効果も期待することができる。ここでいう臀溝とは、臀部と大腿部との境界部分をいう。一方、前身頃１に腹部押さえ布１０を内股６と前ウエストライン５で表地と接合し、それ以外の部分は縫い付けずにフリーにしておくことにより身体にフィットさせ、腹部を締め付ける効果を期待することができる。
【００２１】
これに対し、裏地をパンツ全周に付設すると補整下着を着用している場合と同じように、着脱しにくく蒸れやすいため着用快適性に劣るパンツとなるので好ましくない。また、後身頃のみ、前身頃のみに裏地を付設すると脇線部分で引きつれが発生したり、サイドラインを締め付ける効果がなく、好ましくない。従って、前身頃には腹部押さえ布１０を、後身頃から前身頃の一部には連続した裏地３を、それぞれ独立させて設置することにより、運動時にも追随でき、着脱性、着用快適性の面で好ましい。裏地と腹部押さえ布は前ウエストライン５で表地と縫着する時にウエストラインの前中心に向かって１〜３ｃｍ程度重ねると、ヒップから脇、脇から腹部と連続した補正効果が期待できる。この時、両者をウエストライン以外で縫い止めると、窮屈感があり、着用快適性に劣ったり、破損の原因となる可能性がある。
【００２２】
該腹部押さえ布１０の幅は、内股部６で８〜１５ｃｍ、前ウエストライン５で１２〜２５ｃｍとなるよう漸増させることが好ましい。内股部６で８ｃｍより狭いと帯状の腹部押さえ布が安定せず、紐状になってしまい着用感に劣り好ましくない。一方１５ｃｍを越えると身体の股部巾より広くなるため、帯状の腹部押さえ布がよじれて巾方向に折れ曲がってしまい下腹部をサポートすることができなく、着用感も悪いので好ましくない。さらに、前ウエストライン５で１２ｃｍより狭くなると腹部全体をサポートすることができないため好ましくない。また、前ウエストライン５で２５ｃｍより広くなると後身頃から前身頃の一部にかけて設置した裏地３と重なる部分が多くなるため、着用感が悪く、またパンツの表から裏地３と腹部押さえ布１０の段差が出て美観を損なうため好ましくない。
【００２３】
さらに腹部を押さえる効果を上げるためには、図４に示すように、腹部押さえ布１０に腹部補強布１１を付設することが好ましい。付設は縫い付けが好ましく、縫い付ける方法としてはオーバーロックや千鳥縫いのように生地の伸びを止めない縫い方で、さらに使用する縫糸はナイロンウーリー糸やレジロン糸を使用することも生地の伸びを止めないので好ましい。腹部補強布１１は腹部押さえ布１０とほぼ同じ大きさであることが好ましく、具体的には、腹部補強布の幅は、腹部押さえ布より外側にはみ出さないように０．２ｃｍ〜０．５ｃｍ狭くし、長さ方向では内股部６からウエスト方向に向かって２ｃｍ〜５ｃｍ間には腹部補強布１１は付設しない。腹部補強布１１を腹部押さえ布１０と同じように内股部６まで付設すると、特に股部のごろつき、ムレ感、縫製しやすさに問題がある。なお、腹部補強布１１は、表地と腹部押さえ布１０の間に付設してもよいが、腹部押さえ布１０と身体の間に付設してもどちらでもよい。
【００２４】
一方、後身頃から前身頃の一部にかけて設置する裏地３の形状は、図４に示すように、前ウエストライン５の上端部Ａから内股の端部Ｂを結ぶ仮の直線から外側に膨らんだ曲線状とすることが好ましい。
【００２５】
さらに、本発明のパンツにおいて、表地の内側に付設した裏地３に、後身頃のヒップライン下から前身頃に向かい斜め上方に傾斜した帯状のヒップアップ別布８を付設することにより、ヒップアップおよびサイドの締め付け効果を向上させることができる。なお、付設は縫い付け、接ぎ合わせ、接着、融着など、どのような方法であってもよいが、洗濯耐久性、肌触り、作業性の点から縫い付けが好ましい。なお、ヒップアップ別布８は、図４のように表地と裏地３の間に付設してもよいが、裏地３と身体の間に付設してもよい。また、ヒップアップ別布８の端は、図２、図３のようにウエストラインまで延着することが脇腹矯正効果向上の点で好ましい。
【００２６】
本発明で使用する腹部押さえ布１０と裏地３、腹部補強布１１とヒップアップ別布８は夫々同素材を使用していることが好ましい。特に、腹部押さえ布１０と裏地３に異素材を使用すると、伸長率や伸長回復率、厚さなどの素材特性が異なるため、内股部６の接合部が破損しやすいし、前身頃と後身頃で違和感があるため好ましくない。
【００２７】
本発明のパンツにおいては、表地または／および裏地３および腹部押さえ布１０にタテまたは／およびヨコ方向に伸縮可能な織編物を使用することにより、着用感、運動機能性、美観全てにおいてさらに顕著な効果を得ることができる。
【００２８】
伸縮可能な織編物としては、綿やウールなどの天然繊維やレーヨンなどの再生繊維、アクリル系繊維やポリエステル系繊維などの合成繊維などに弾性繊維（ポリウレタン繊維など）を混用したストレッチ織物等を使用することができる。また、弾性繊維を使用しないで、例えば一方がポリトリメチレンテレフタレート（以下、ＰＰＴと略する）を主体としたポリエステルである２種類のポリエステル系重合体を繊維長さに沿ってサイドバイサイド型に貼り合わせた複合繊維のマルチフィラメントを、タテ糸およびヨコ糸の少なくとも一方に用いたポリエステル系ストレッチ織物を使用してもよい。サイドバイサイド型の複合繊維は、固有粘度や共重合成分、共重合率等が異なる重合体を貼り合わせ、それらの弾性回復特性や収縮特性の差によって、捲縮を発現するものである。固有粘度差を有するサイドバイサイド型複合の場合、紡糸、延伸時に固有粘度の高い方に応力が集中するため、２成分間で内部歪みが異なる。そのため、延伸後の弾性回復率差および織物の熱処理工程での熱収縮率差により固有粘度高い方が大きく収縮し、単繊維内で歪みが生じて３次元コイル捲縮の形態をとる。この３次元コイルの径および単位繊維長当たりのコイル数は、固有粘度が高い成分（高収縮成分）と固有粘度が低い成分（低収縮成分）との収縮差（弾性回復率差を含む）によって決まると言ってもよく、収縮差が大きいほどコイル径が小さく、単位繊維長当たりのコイル数が多くなる。ストレッチ素材として要求されるコイル捲縮は、コイル径が小さく、単位繊維長当たりのコイル数が多い（伸長特性に優れ、見栄えが良い）、コイルの耐へたり性が良い（伸縮回数の応じたコイルのへたり量が小さく、ストレッチ保持性に優れる）、さらにはコイルの伸長回復時におけるヒステリシスロスが小さい（弾発性に優れ、フィット感が良い）等である。これらの要求を全て満足しつつ、ポリエステルとしての特性、例えば適度な張り腰、ドレープ性、高染色堅牢性を有することで、トータルバランスに優れたストレッチ素材とすることができる。この特性を満足させるためには、高収縮成分にＰＰＴを主体としたポリエステルを用いることが好ましい。ＰＰＴとは、テレフタル酸を主たる酸成分とし、１，３−プロパンジオールを主たるグリコール成分として得られるポリエステルである。低収縮成分には、高収縮成分であるＰＰＴとの界面接着性が良好で、製糸性が安定している繊維形成性ポリエステルであれば特に限定されるものではないが、力学的特性、化学的特性および原料価格を考慮すると、繊維形成能のあるポリエチレンテレフタレートが好ましい。
【００２９】
このようにして得られたサイドバイサイド型複合繊維糸条をタテ糸およびヨコ糸の少なくとも一方のストレッチ付与を所望する方向に用いたストレッチ織物を本発明のパンツに使用することにより着用感、運動機能性、美観等に顕著な効果が得られる。当該ストレッチ織物をパンツの表地に使用する場合、タテ方向およびヨコ方向の少なくとも一方の伸長率は、１．５ｋｇ荷重下で１０％以上４０％以下であることが好ましく、伸長回復率は６０％以上あることが着用快適性、型くずれ防止の観点からも好ましい。
【００３０】
かかる伸長率とは、織編地の伸びの程度を表すものであり、この数値が大きい程、パンツを着用した時、体の動きに追従し易く、着脱も容易である。パンツの表地はかかる伸長率が１０％未満であると伸びが少ないため着用時に窮屈で動きにくいという問題があり、反対に４０％以上あると、身体にフィットするが、身体のシルエットが表面に出やすくなり、美観に劣るという問題があった。
【００３１】
かかる伸長回復率とは身体の動きで伸長した生地が、素早く元の状態に戻ろうとする回復程度を表すものであり、この数値が大きい程、パンツを着用した時の型崩れが少なく、着用前後で形態変化を起こしにくい。本発明のパンツにおいて、表地の伸長回復率は６０％以上、より好ましくは８０％以上である。表地の伸長回復率が６０％より低いと臀部や膝等の身体の凸部のみ生地が回復せずに表地が伸びた状態になり、美観を損なう。
【００３２】
なお、かかる伸長率はＪＩＳ  Ｌ  １０９６「一般織物生地試験方法」のＡ法（定速伸長法）のストリップ法に基づいて測定、また、かかる伸長回復率はＪＩＳ  Ｌ  １０９６「一般織物生地試験方法」のＡ法（繰り返し定速伸長法）のストリップ法に基づいて測定したものである。なお、詳細な試験方法については後述する実施例に記載した。
【００３３】
さらに、裏地３に使用する素材は、破裂強力が２００〜２６０ｋＰａのサテンネットを使用することが好ましい。また、ヒップアップ別布８には破裂強力が２６１〜３２０ｋＰａのパワーネットを使用することが好ましい。使用する裏地３、腹部押さえ布１０、腹部補強布１１およびヒップアップ別布８の伸長率、伸長回復率をほぼ同じにすると、パンツに縫着する全素材の追随性が向上し、着用時の違和感が低減する上、縫目の破損などの問題が発生しにくくなる点で好ましい。一方、破裂強力については、部分的なサポート効果をより向上させるため、腹部押さえ布１０および裏地３より、腹部補強布１１およびヒップアップ別布８の破裂強力を上げることが好ましい。
【００３４】
かかる破裂強力は後述する実施例に記載したとおり、ＪＩＳ  Ｌ  １０１８「ニット生地試験方法」のＡ法（ミューレン形法）に基づいて測定したものである。
【００３５】
ここでいうサテンネットとは経編の一種で、ファンデーション一般、特にソフトガードルに使用される素材であり、ネットの目が詰まっておりサテン調の滑らかな風合い、表面の光沢感が特徴である。また、パワーネットも経編の一種ではあるが、サテンネットとは編み方が異なり、見た目は網状である。パワーネットはサテンネットよりも強力が高いため、主にブラジャーやボディスーツなど補整下着に使用される。従って、ヒップ形状を崩さず、裏地として必要な滑り性と伸長率をもつサテンネットを本発明の腹部押さえ布１０および裏地３に使用し、臀溝から脇腹部へのサポートを強化するためにパワーネットを腹部補強布１１およびヒップアップ別布８に使用することが最適である。
【００３６】
本発明において、ヒップアップ効果、および腹部締め付け効果の確認は、次のようにして行う。
【００３７】
パンツの表地の素材やサイズ、デザインを同一にし、裏地等の有無のみを変更したパンツを準備する。同一の着用者にパンツを着用させ、床面から腰の位置まで表示したメジャーのヨコに立たせ、体側面からカメラ、好ましくはデジタルカメラで写真撮影を行いう。その後、パソコン上でヒップアップ効果や腹部締め付け効果を確認する。まず、ヒップアップ効果は、床面から臀部頂点の距離を測定する。裏地等の有無による臀部頂点の位置の違いを差寸で表すことができる。次に、臀部頂点から床面に垂線をひき、腹部頂点からも同様に垂線をひく。この両者の距離を測定し、距離が短い方が腹部締め付け効果があるとする。
【００３８】
また、部位別の衣服圧を測定することにより、効果の有無を確認することができる。衣服圧は、後述する実施例に記載した方法で測定することができる。
【実施例】
【００３９】
以下、本発明を実施例および比較例を挙げてさらに具体的に説明するが、本発明はこれに限定されるものではない。なお、実施例および比較例において用いたパンツ表地および裏地の品質評価は次の方法で実施した。
【００４０】
（測定方法）
（１）伸長率
表地及び裏地の伸長率はＪＩＳ  Ｌ  １０９６「一般織物試験方法」のＡ法（定速伸長法）のストリップ法に準じて測定した。
【００４１】
すなわち、まず、５ｃｍ×３０ｃｍの試験片をタテ、ヨコ方向にそれぞれ３枚ずつ採取した。測定には自動記録装置付定速伸長形引張試験機を用い、つかみ間隔を２０ｃｍとし、試験片のたるみや張力を除いて、試験片をつかみに固定した。引張速度２０ｃｍ／minで１４．７Ｎ（１．５kg）まで伸ばし、その時のつかみ間隔を測り、次の式により伸長率ＬＡ（％）を求め、３枚の平均で表した。
伸長率ＬＡ（％）＝［（Ｌ１−Ｌ）／Ｌ］×１００
Ｌ  ：つかみ間隔（ｍｍ）
Ｌ１：１４．７Ｎまで伸ばした時のつかみ間隔（ｍｍ）
（２）伸長回復率
表地及び裏地の伸長回復率はＪＩＳ  Ｌ  １０９６「一般織物試験方法」のＡ法（繰り返し定速伸長法）のストリップ法に準じて測定した。
【００４２】
すなわち、まず、５ｃｍ×３０ｃｍの試験片をタテ、ヨコ方向にそれぞれ３枚ずつ採取した。測定には自動記録装置付定速伸長形引張試験機を用い、つかみ間隔を２０ｃｍとし、試験片のたるみや張力を除いて、試験片をつかみに固定した。引張速度２０ｃｍ／minで別に求めた伸長率（前項ＬＡ）の値の８０％まで伸ばして、１分放置した後、同じ速度で元の位置まで戻し、３分間放置する。この操作を１０回繰り返した後、再び同じ速度で初荷重以上の荷重まで引き伸ばす。記録した荷重−伸長曲線から残留伸びを測り次式により伸長回復率ＬＢ（％）を求め、３枚の平均で表した。
伸長回復率ＬＢ（％）＝［（Ｌｂ１−Ｌｂ）／Ｌｂ］×１００
Ｌｂ  ：伸長率ＬＡの８０％の伸びに相当するチャート上の長さ（ｍｍ）
Ｌｂ１：１０回繰り返し伸長後の残留伸びに相当するチャートの長さ（ｍｍ）
（３）破裂強力
裏地の破裂強力はＪＩＳ  Ｌ  １０１８「ニット生地試験方法」のＡ法（ミューレン形法）に準じて測定した。
【００４３】
すなわち、まず、１５ｃｍ×１５ｃｍの試験片を５枚採取した。この試験片の表を上にして張力を加えずに普通の状態で、ミューレン形破裂試験機のつかみに取り付けた。加圧用油を９８±４ｃｍ３／minの速度で増加させ、ゴム膜が突き破った瞬間に加圧を止めて、その時の圧力を読みとった。引き続き、つかみをゆるめて試験片を取り除いた時の指針の示すゴム膜の圧力を読みとった。下式により破裂強度を算出し、５枚の平均値で表した。
破裂強度（ｋＰａ）＝ａ−ｂ
ａ：ゴム膜が試験片を突き破った時の圧力
ｂ：試験片を取り除いた時のゴム膜の圧力
（４）臀部頂点の位置
本文中に述べたように、パンツの表地の素材やサイズ、デザインを同一にし、裏地等の有無のみを変更したパンツを準備する。同一の着用者にパンツを着用させ、床面から腰の位置まで表示したメジャーのヨコに立たせ、体側面からカメラ、好ましくはデジタルカメラで写真撮影を行う。着用中の写真を体側面からカメラで撮影し、パソコン上で床面から臀部頂点までの距離を測定し、距離の長い方がヒップアップ効果があるとする。３回の着用−撮影−測定の平均値を求めた。
【００４４】
なお、臀部頂点については、体側面の画像に頭部から床面に垂直に補助線を入れ、臀部で交わる点を臀部頂点とした。
【００４５】
（５）腹部締め付け効果の確認
臀部頂点位置の測定と同様に、着用中の写真を体側面からカメラで撮影し、パソコン上で次のように処理する。まず、体側面の画像に臀部頂点から床面に垂直に補助線を入れ、腹部頂点からも同様に床面に垂直に補助線を入れる。この両者の距離を測定し、距離が短い方が腹部締め付け効果があるとする。３回の着用−撮影−測定の平均値を求めた。
【００４６】
（６）衣服圧の測定
（株）エイエムアイ社製の接触圧測定器のエアパックセンサーを着用者の臀部頂点、臀溝（臀部と大腿部との境界）、腹部の合計３箇所に貼り付ける。その上にパンツを着用して静止状態３０秒、前屈運動３０秒時の衣服圧の変化を計測し、３回の衣服圧計測結果の平均値を求めた。パンツの素材やデザインにより変化する値であるので、全く同じ素材、サイズ、デザインのパンツを同一人物が着用し、裏地の有無による衣服圧（ｋＰａ）の差寸を求め、各箇所について表１に従い３段階評価した。
【００４７】
（７）審美性、着心地、肌触りの状態評価
出来上がったパンツの審美性および着用感、運動機能性、ヒップアップ効果、腹部締め付け効果についてモニターに着用してもらい、官能評価を実施した。その評価基準を表１に示す。
【００４８】
モニターは年齢が２０代から５０代の女性１０名で、着用した結果の平均点を各評価点数として示す。各評価点数の合計点数を総合評価とし、総合評価が大きいものほど優れていることを示す。
【００４９】
【表１】
2008106373.tif 000003
【００５０】
（実施例１）
５６デシテックスのポリエチレンテレフタレート糸１００％の長繊維糸を使用して２２Ｇの両面丸編機で編成し、通常の染色加工仕上げをして編地を得た。こうして得られた編物の伸度はタテ６０％、ヨコ１０５％、伸長回復率はタテ８５％、ヨコ８１％であった。この編地を表地として用い、ウエスト部全周に３ｃｍ巾の平ゴムを挿入して前開きのない婦人パンツを縫製した。
【００５１】
次に、３１０デシテックスのポリウレタン繊維に５６デシテックスのナイロンをカバーリングした糸をラッセル編み機で編成した６コースサテンネットを、裏地と腹部押さえ布として使用した。このサテンネットの伸長率はタテ１４５％、ヨコ７０％、伸長回復率はタテ９３％、ヨコ９２％、破裂強力は２４０ｋＰａであった。
【００５２】
また別に、３１０デシテックスのポリウレタン繊維に５６デシテックスのナイロンをカバーリングした糸をラッセル編み機で編成した６コースパワーネットを、ヒップアップ別布と腹部補強布として使用した。このパワーネットの伸長率はタテ１２５％、ヨコ９１％、伸長回復率はタテ９４％、ヨコ９０％、破裂強力は２９０ｋＰａであった。
【００５３】
この裏地類を次に示す工程で縫製して、表地に縫着し、図１に示す婦人用パンツを得た。
【００５４】
まず、サテンネットを、内股部で１５ｃｍ幅、前身頃ウエストラインで２０ｃｍ幅となるように漸増させた帯状に裁断し腹部押さえ布とした。さらに腹部押さえ布の片面に、図４に示すように、腹部押さえ布の内股部から５ｃｍ控えたところまでの面積を持つ腹部補強布を千鳥ミシンで縫着した。腹部押さえ布と同じサテンネットを裏地として後身頃から前身頃ウエストラインに向かい斜め上方に傾斜した形状に裁断した。さらにこの裏地の片面に、腹部補強布と同じパワーネットを後中心線で５ｃｍ幅、前身頃のウエストラインで８ｃｍ幅となるように漸増させ、ヒップ形状に合わせた曲線帯状のヒップアップ別布を、伸びを止めないように下糸にナイロンウーリー糸を用いて千鳥縫いミシンで縫着した。このヒップアップ別布を縫い付けた裏地と腹部補強布を縫い付けた腹部押さえ布と表地の内股とをオーバーロックミシンにより接合した。次に、腹部補強布を縫い付けた腹部押さえ布を前中心線から左右均等な位置に表地の前ウエストラインに縫着し、裏地を後身頃から脇線を通り前身頃の一部を覆うように腹部押さえ布と左右夫々１ｃｍ重なるように縫着した。
【００５５】
こうして得られた婦人用パンツの縫製仕様を表２に、縫製品を着用した時の審美性、着用感、運動機能性、ヒップアップ効果、腹部締め付け効果について評価をした結果を表３に示した。
【００５６】
（実施例２）
タテ糸にポリエチレンテレフタレートとレーヨンの混紡糸、ヨコ糸に４４デシテックスの弾性糸にポリエチレンテレフタレートとレーヨンの混紡糸をカバーリングした糸を用い、３／１のサテン（朱子織）に製織、染色仕上げした織物を得た。こうして得られた織物の伸度はタテ２１％、ヨコ２２％、伸長回復率はタテ９１％、ヨコ８９％であった。この織物を表地として用い、ウエストには３ｃｍ巾のベルト芯を入れ脇線から前後５ｃｍ計１０ｃｍ間のみに３ｃｍ巾の平ゴムを挿入して前明きのない婦人パンツを縫製した。
【００５７】
次に、ポリビニルピロリドンを練り込んだ５４デシテックスのポリアミド繊維と３１０デシテックスのポリウレタン繊維で編成したサテンネットを、裏地と腹部押さえ布として使用した。このサテンネットの伸長率はタテ１６０％、ヨコ８０％、伸長回復率はタテ９２％、ヨコ９４％、破裂強力は２２６ｋＰａであった。
【００５８】
また別に、上記サテンネットと同じ糸を使い編成したパワーネットを、ヒップアップ別布と腹部補強布として使用した。このパワーネットの伸長率はタテ１０９％、ヨコ８５％、伸長回復率はタテ９７％、ヨコ８９％、破裂強力は２８０ｋＰａであった。
【００５９】
この裏地類を次に示す工程で縫製して、表地に縫着し、図１に示す婦人用パンツを得た。
【００６０】
まず、サテンネットを、内股部で１２ｃｍ幅、前身頃ウエストラインで１５ｃｍ幅となるように漸増させた帯状に裁断し腹部押さえ布とした。さらに腹部押さえ布の片面に、図４に示すように、腹部押さえ布の内股部から３ｃｍ控えたところまでの面積を持つ腹部補強布をオーバーロックミシンで縫着した。腹部押さえ布と同じサテンネットを裏地として後身頃から前身頃ウエストラインに向かい斜め上方に傾斜した形状に裁断した。さらにこの裏地の片面に、腹部補強布と同じパワーネットを後中心線で７ｃｍ幅、前身頃のウエストラインで１０ｃｍ幅となるように漸増させ、ヒップ形状に合わせた曲線帯状のヒップアップ別布を、伸びを止めないように下糸にナイロンウーリー糸を用いて千鳥縫いミシンで縫着した。このヒップアップ別布を縫い付けた裏地と腹部補強布を縫い付けた腹部押さえ布と表地の内股とをオーバーロックミシンにより接合した。次に、腹部補強布を縫い付けた腹部押さえ布を前中心線から左右均等な位置に表地の前ウエストラインに縫着し、裏地を後身頃から脇線を通り前身頃の一部を覆うように腹部押さえ布と左右夫々２ｃｍ重なるように縫着した。
【００６１】
こうして得られた婦人用パンツの縫製仕様を表２に、縫製品を着用した時の審美性、着用感、運動機能性、ヒップアップ効果、腹部締め付け効果について評価をした結果を表３に示した。
【００６２】
（実施例３）
綿４０番手双糸と１６５デシテックスのポリトリメチレンテレフタレートを用い、１８Ｇの両面丸編機で編成し、通常の染色加工仕上げをして編地を得た。こうして得られた編物の伸度はタテ４０％、ヨコ８０％、伸長回復率はタテ８８％、ヨコ５５％であった。この編地を表地として用い、ウエスト部全周に３ｃｍ巾の平ゴムを挿入して前明きのない紳士用パンツを縫製した。
【００６３】
次に、実施例１で使用したサテンネットを用いて裏地と腹部押さえ布を次に示す工程で縫着して、図１に示す紳士用パンツを得た。
【００６４】
まず、サテンネットを、内股部で１５ｃｍ幅、前身頃ウエストラインで１８ｃｍ幅となるように漸増させた帯状に裁断し腹部押さえ布とした。同じサテンネットを裏地として後身頃から前身頃ウエストラインに向かい斜め上方に傾斜した形状に裁断した。裏地と腹部押さえ布を表地の内股とオーバーロックミシンにより接合した。次に、腹部押さえ布を前中心線から左右均等な位置に表地の前ウエストラインに縫着し、裏地を後身頃から脇線を通り前身頃の一部を覆うように腹部押さえ布と左右夫々３ｃｍ重なるように縫着した。
【００６５】
こうして得られた紳士用パンツの縫製仕様を表２に、縫製品を着用した時の審美性、着用感、運動機能性、ヒップアップ効果、腹部締め付け効果について評価をした結果を表３に示した。
【００６６】
（比較例１）
実施例１で用いた編物を表地に使用して、実施例１と同じ婦人用パンツを縫製した。ただし、裏地およびヒップアップ別布、腹部押さえ布は付設しなかった。
【００６７】
こうして得られた婦人用パンツの縫製仕様を表２に、縫製品を着用した時の審美性、着用感、運動機能性、ヒップアップ効果、腹部締め付け効果について評価をした結果を表３に示した。
【００６８】
（比較例２）
実施例１で用いた編物を表地に使用して、実施例１と同じ婦人用パンツを縫製した。
【００６９】
次に、実施例１で使用したサテンネットを用いて前身頃から後身頃に連続した半ズボン型の裏地を次に示す工程で縫着して、図１に示す婦人用パンツを得た。
【００７０】
まず、サテンネットを、表地より巾、長さとも３％小さくした股下１０ｃｍの半ズボン形状に裁断、縫製した裏地をウエストラインと内股部に縫着した。
【００７１】
こうして得られた婦人用パンツの縫製仕様を表２に、縫製品を着用した時の審美性、着用感、運動機能性、ヒップアップ効果、腹部締め付け効果について評価をした結果を表３に示した。
【００７２】
（比較例３）
実施例２で用いた織物を表地に使用して、実施例２と同じ婦人用パンツを縫製した。
【００７３】
次に、実施例１で使用したサテンネットを用いて後身頃のみに股下１０ｃｍからウエストラインまでを覆う形状の裏地に裁断した。さらにこの裏地の片面に、後中心線で１０ｃｍ幅、脇線上でも１０ｃｍ幅のヒップ形状に合わせた曲線帯状のヒップアップ別布を、伸びを止めないように下糸にナイロンウーリー糸を用いて千鳥縫いミシンで縫着した。ここで用いるヒップアップ別布の伸長率はタテ１２５％、ヨコ９１％、伸長回復率はタテ９４％、ヨコ９０％、破裂強力は２９０ｋＰａのパワーネットとした。このヒップアップ別布を縫い付けた裏地を後ウエストライン、左右脇線、股下に表地とオーバーロックミシンにより接合した。こうして得られた婦人用パンツの縫製仕様を表２に、縫製品を着用した時の審美性、着用感、運動機能性、ヒップアップ効果、腹部締め付け効果について評価をした結果を表３に示した。
【００７４】
【表２】
2008106373.tif 000004
【００７５】
【表３】
2008106373.tif 000005
【産業上の利用可能性】
【００７６】
本発明は、見た目が通常のパンツと変わらず、ヒップアップ効果があり、着用快適性に優れたパンツとして利用できる。また、ヒップアップ効果と共に腹部矯正効果を有するパンツとして利用できる。
【図面の簡単な説明】
【００７７】
【図１】図１は、本発明のパンツの一態様を正面表からみた図である。
【図２】図２は、本発明のパンツの一態様を裏返して裏面からみた前身頃の図である。
【図３】図３は、本発明のパンツの一態様を裏返して裏面からみた後身頃の図である。
【図４】図４は本発明のパンツで使用する裏地と腹部押さえ布をパンツに縫着する前の図である。
【符号の説明】
【００７８】
１  ：前身頃表地
２  ：後身頃表地
３  ：裏地
４  ：脇線
５  ：前ウエストライン
６  ：内股
７  ：後中心線
８  ：ヒップアップ別布
９  ：前中心線
１０  ：腹部押さえ布
１１  ：腹部補強布
１２  ：後ウエストライン
Ａ  ：ウエストラインの上端部
Ｂ  ：内股の端部
【図１】
2008106373.tif 000006
【図２】
2008106373.tif 000007
【図３】
2008106373.tif 000008
【図４】
2008106373.tif 000009